(57)【要約】安全閉鎖具（１）の製造方法が開示され、第１のステップにおいて、長手方向軸（Ｌ）の方向に前後に配置された、閉鎖キャップ（４）を有する回転閉鎖具（３）、複数の分断ポイント（１１）および作動部（２０）を備えた、一体型射出成形部品（２）が製造され、第２のステップにおいて、長手方向軸（Ｌ）の方向に作用する力が、閉鎖キャップ（４）と作動部（２０）とが長手方向軸（Ｌ）の方向に互いに移動し、閉鎖キャップ（４）が作動部（２０）の方へ少なくとも部分的に摺動するように、射出成形部品（２）に適用される。作動部（２０）は、摺動移動中に第１の係合部（８）によって弾性変形されて楕円形になり、その後、摺動移動後に元の形状に戻る。
2021527597.tif 000002
【特許請求の範囲】
【請求項１】
安全閉鎖具（１）の製造方法であって、
第１のステップにおいて、長手方向軸（Ｌ）の方向に互いに続けて配置された、閉鎖キャップ（４）を有する回転閉鎖具（３）と、複数の分断ポイント（１１）と、作動部（２０）とを有する一体型射出成形部品（２）を製造し、回転閉鎖具（３）は、分断ポイント（１１）を介して作動部（２０）に接続され、閉鎖キャップ（４）は、外面（４ｄ）を有する外側部分（４ｅ）を有し、外側部分（４ｅ）は長手方向軸（Ｌ）に対して円周方向（Ｕ）に延在し、かつ、外径（ＤＡ）を有しており、閉鎖キャップ（４）はまた、外側部分（４ｅ）に第１の係合部（８）を有しており、作動部（２０）は、内面（２０ａ）を含む内側部分（２０ｂ）を有し、内側部分（２０ｂ）は長手方向軸（Ｌ）に対して円周方向（Ｕ）に延在し、かつ、内径（ＤＩ）を有しており、作動部（２０）はまた、内側部分（２０ｂ）に第２の係合部（２１）を有しており、外径（ＤＡ）は内径（ＤＩ）と等しいか内径（ＤＩ）よりも小さく、第１および第２の係合部（８、２１）が長手方向軸（Ｌ）に対して半径方向に部分的に重なり、
第２のステップにおいて、長手方向軸（Ｌ）の方向に作用する力（Ｆ）が射出成形部品（２）に作用することにより、閉鎖キャップ（４）と作動部（２０）とが長手方向軸（Ｌ）の方向に相互に変位し、閉鎖キャップ（４）が少なくとも部分的に作動部（２０）の方へ変位し、その過程で第１の係合部（８）が長手方向軸（Ｌ）の方向に押されて第２の係合部（２１）上に完全に位置する、方法において、
作動部（２０）は、押し込み動作中に第１の係合部（８）によって弾性的に楕円形に変形して、押し込み動作が完了した後に元の形状に戻ることを特徴とする方法。
【請求項２】
第１の係合部（８）が、円周方向（Ｕ）に延在し、かつ、外面（４ｄ）上に突出しており、
第２の係合部（２１）が、円周方向（Ｕ）に延在し、かつ、径方向に後退しており、
閉鎖キャップ（４）が作動部（２０）の方へ押されると、第１の係合部（８）が、作動部（２０）の内面（２０ａ）に係合し、作動部（２０）が、第１の係合部（８）が長手方向軸（Ｌ）の方向に押されて完全に第２の係合部（２１）上に位置するまで、作動部（２０）に作用する第１の係合部８によって弾性変形することを特徴とする、請求項１に記載の方法。
【請求項３】
第１の係合部（８）が、円周方向（Ｕ）に相互に離間して配置された複数の係合部部分（８ｅ、８ｆ）からなり、
閉鎖キャップ（４）が作動部（２０）に押し込まれると、作動部（２０）の元々円形状に延びる内面（２０ａ）は、外面（４ｄ）上に突出する係合部部分（８ｅ、８ｆ）によって弾性変形し、
第１の係合部（８）が長手方向軸（Ｌ）の方向に押されて、第２の係合部（２１）上に完全に位置した後で、内面（２０ａ）は自動的に再び変形して、円形状に延びる内面（２０ａ）に戻ることを特徴とする、請求項１または２に記載の方法。
【請求項４】
作動部（２０）が、内面（２０ａ）に沿って円周方向（Ｕ）に内周長（Ｕ１）を有し、その内周長（Ｕ１）が楕円形に変形する間でも維持または実質的に維持されることを特徴とする、請求項１〜３のいずれか一項に記載の方法。
【請求項５】
安全閉鎖具（１）用の射出成形部品（２）であって、
長手方向軸の方向に互いに続けて配置された、閉鎖キャップ（４）を有する回転閉鎖具（３）と、複数の分断ポイント（１１）と、作動部（２０）とを有し、回転閉鎖具（３）は、分断ポイントを介して作動部（２０）に接続され、閉鎖キャップ（４）は、外面（４ｄ）を有する外側部分（４ｅ）を有し、外側部分（４ｅ）は長手方向軸（Ｌ）に対して円周方向（Ｕ）に延在し、かつ、外径（ＤＡ）を有しており、閉鎖キャップ（４）はまた、外側部分（４ｅ）に第１の係合部（８）を有しており、第１の係合部（８）は、長手方向軸（Ｌ）に対して半径方向（Ｒ）において外面（４ｄ）上に突出しており、作動部（２０）は、内面（２０ａ）を有する内側部分（２０ｂ）を有し、内側部分（２０ｂ）は長手方向軸（Ｌ）に対して円周方向（Ｕ）に延在し、かつ、内径（ＤＩ）を有しており、作動部（２０）はまた、内側部分（２０ｂ）に第２の係合部（２１）を有しており、外径（ＤＡ）は内径（ＤＩ）と等しいか内径（ＤＩ）よりも小さく、第１および第２の係合部（８、２１）は長手方向軸（Ｌ）に対して半径方向に部分的に重なる、射出成形部品（２）において、
第１の係合部（８）は、円周方向（Ｕ）に互いに離間して配置されるとともに、その間に中間空間（９）を有する複数の係合部部分（８ｅ、８ｆ）からなり、複数の係合部部分（８ｅ、８ｆ）の間の中間空間（９）は、これら係合部部分（８ｅ、８ｆ）に対して減少した外径を有していることを特徴とする、射出成形部品。
【請求項６】
中間空間（９）が外面（４ｄ）の外径（ＤＡ）を有することを特徴とする、請求項５に記載の射出成形部品。
【請求項７】
第１の係合部（８）のみが外面（４ｄ）上に配置されることを特徴とする、請求項５または６に記載の射出成形部品。
【請求項８】
外面（４ｄ）が、長手方向軸（Ｌ）の方向に全長（ＬＡ）を有しており、外面（４ｄ）が、中間空間（９）の領域において全長（ＬＡ）に沿って同じ外径（ＤＡ）を有することを特徴とする、請求項７に記載の射出成形部品。
【請求項９】
第１の係合部（８）が少なくとも２つの第１の係合部部分（８ｅ）および２つの第２の係合部部分（８ｆ）を含み、
第１および第２の係合部部分（８ｅ、８ｆ）が円周方向（Ｕ）において長さが異なることを特徴とする、請求項５〜８のいずれか一項に記載の射出成形部品。
【請求項１０】
第１の係合部部分（８ｅ）および第２の係合部部分（８ｆ）が、円周方向（Ｕ）において、両側に、外面（４ｄ）の方へ延在する端部分（８ｄ）を有することを特徴とする、請求項９に記載の射出成形部品。
【請求項１１】
第２の係合部（２１）が内面（２０ａ）に対して半径方向に後退し、
内側部分（２０ｂ）が、第２の係合部（２１）に対して長手方向軸（Ｌ）の方向に間隔を置いて配置された停止部分（２２）を含むことで、第２の係合部（２１）と停止部（２２）との間に保持部分（２３）が形成されることを特徴とする、請求項５に記載の射出成形部品。
【請求項１２】
作動部（２０）が、内面（２０ａ）に沿って円周方向（Ｕ）に内周長（Ｕ１）を有し、
第１の係合部（８）が円周方向（Ｕ）において中間空間（９）とともに外周長（Ｕ２）を有し、
内周長（Ｕ１）が外周長（Ｕ２）と等しいか外周長（Ｕ２）よりも大きいことを特徴とする、請求項５〜１１のいずれか一項に記載の射出成形部品。
【請求項１３】
回転閉鎖具（３）が、品質保証部（５）を備え、
品質保証部（５）が、長手方向軸（Ｌ）の方向において閉鎖キャップ（４）に続いて配置され、脆弱点（１０）を介して閉鎖キャップ（４）に接続されることを特徴とする、請求項５〜１２のいずれか一項に記載の射出成形部品。
【請求項１４】
長手方向軸（Ｌ）の方向において作動部（２０）が最初に入力部分（２０ｃ）を有し、入力部分（２０ｃ）は全体にわたって環状をなし、かつ、中間空間（２１ｂ）がなく、
作動部（２０）が、長手方向軸（Ｌ）に対して半径方向に壁厚（Ｗ）を有し、
作動部（２０）が、停止部（２２）の長手方向軸（Ｌ）の方向における上流または下流の領域における入力部分（２０ｃ）よりも小さい壁厚（Ｗ）を有することを特徴とする、請求項５〜１３のいずれか一項に記載の射出成形部品。
【請求項１５】
請求項５〜１４のいずれか一項に記載の射出成形部品（２）から安全閉鎖具（１）を製造する方法であって、
長手方向軸（Ｌ）の方向に作用する力（Ｆ）が射出成形部品（２）に作用することにより、閉鎖キャップ（４）と作動部（２０）とが長手方向軸（Ｌ）の方向に相互に変位し、押し込み動作中に第１の係合部（８）によって弾性的に楕円形に変形する作動部（２０）によって、閉鎖キャップ（４）が少なくとも部分的に作動部（２０）の方へ変位し、その過程で第１の係合部（８）が長手方向軸（Ｌ）の方向に押されて第２の係合部（２１）上に完全に位置し、
押し込み動作が完了した後に元の形状に戻る作動部（２０）によって、第１の係合部（８）および第２の係合部（２１）が次に長手方向軸（Ｌ）の方向において互いに反対側に配置されることを特徴とする方法。
【請求項１６】
長手方向軸（Ｌ）を有する閉鎖キャップ（４）を備える回転閉鎖具（３）と、作動部（２０）とを有する安全閉鎖具（１）であって、
閉鎖キャップ（４）は、外面（４ｄ）を有する外側部分（４ｅ）を有し、外側部分（４ｅ）は長手方向軸（Ｌ）に対して円周方向（Ｕ）に延在し、かつ、外径（ＤＡ）を有しており、閉鎖キャップ（４）はまた、外側部分（４ｅ）に第１の係合部（８）を有しており、第１の係合部（８）は長手方向軸（Ｌ）に対して半径方向（Ｒ）において外面（４ｄ）上に突出しており、作動部（２０）は、内面（２０ａ）を有する内側部分（２０ｂ）を有し、内側部分（２０ｂ）は長手方向軸（Ｌ）に対して円周方向（Ｕ）に延在し、かつ、内径（ＤＩ）を有しており、作動部（２０）はまた、内側部分（２０ｂ）に第２の係合部（２１）を有しており、外径（ＤＡ）は内径（ＤＩ）と等しいか内径（ＤＩ）よりも小さく、閉鎖キャップ（４）と作動部（２０）とは長手方向軸（Ｌ）に対して同心状に配置され、閉鎖キャップ（４）は端側部（４ｂ）を有し、作動部（２０）は外面（４ｄ）に沿って閉鎖キャップ（４）を取り囲んで端側部（４ｂ）を固定せず、第１の係合部（８）および第２の係合部（２１）は長手方向軸（Ｌ）に対して半径方向に部分的に重なり、第１の係合部（８）および第２の係合部（２１）は、互いに係合できるように、長手方向軸（Ｌ）の方向において反対側に配置されて、長手方向軸（Ｌ）の方向において相互に変位可能である、安全閉鎖具（１）において、
第１の係合部（８）は円周方向（Ｕ）に互いに離間して配置されるとともに、間に中間空間（９）を有する複数の係合部部分（８ｅ、８ｆ）を含み、複数の係合部部分（８ｅ、８ｆ）の間の中間空間（９）は、これら係合部部分（８ｅ、８ｆ）に対して減少した外径を有していることを特徴とする安全閉鎖具。
【請求項１７】
中間空間（９）が外面（４ｄ）の外径（ＤＡ）を有することを特徴とする、請求項１６に記載の安全閉鎖具。
【請求項１８】
第１の係合部（８）のみが外面（４ｄ）上に配置されることを特徴とする、請求項１６または１７に記載の安全閉鎖具。
【請求項１９】
外面（４ｄ）が、長手方向軸（Ｌ）の方向に全長（ＬＡ）を有し、外面（４ｄ）が、中間空間（９）の領域において全長（ＬＡ）に沿って同じ外径（ＤＡ）を有することを特徴とする、請求項１８に記載の安全閉鎖具。
【請求項２０】
第１の係合部（８）が少なくとも２つの第１の係合部部分（８ｅ）および２つの第２の係合部部分（８ｆ）を含み、
第１および第２の係合部部分（８ｅ、８ｆ）が円周方向（Ｕ）において長さが異なることを特徴とする、請求項１６〜１９のいずれか一項に記載の安全閉鎖具。
【請求項２１】
第１の係合部部分（８ｅ）および第２の係合部部分（８ｆ）が、円周方向（Ｕ）において、両側に、外面（４ｄ）の方へ延在する端部分（８ｄ）を有することを特徴とする、請求項２０に記載の安全閉鎖具。
【請求項２２】
作動部（２０）が、内面（２０ａ）に沿って円周方向（Ｕ）に内周長（Ｕ１）を有し、
第１の係合部（８）が円周方向（Ｕ）において中間空間（９）とともに外周長（Ｕ２）を有し、
内周長（Ｕ１）が外周長（Ｕ２）と等しいか外周長（Ｕ２）よりも大きいことを特徴とする、請求項１６〜２１のいずれか一項に記載の安全閉鎖具。
【請求項２３】
停止部分（２２）が、第１の係合部（８）および第２の係合部（２１）との相互に最大可能な変位経路（Ｖ）を決定することを特徴とする、請求項１６〜２２のいずれか一項に記載の安全閉鎖具。
【請求項２４】
第１の係合部（８）が外面（４ｄ）から半径方向に突出し、
第２の係合部（２１）が、内面（２０ａ）に対して半径方向に後退し、
内側部分（２０ｂ）が、第２の係合部（２１）に対して長手方向軸（Ｌ）の方向に間隔を置いて配置され、かつ、長手方向軸（Ｌ）に向かって突出する停止部分（２２）を含むことで、第２の係合部（２１）と停止部（２２）との間に保持部分（２３）が形成され、
第１の係合部（８）が保持部分（２３）に係合し、長手方向軸（Ｌ）の方向において停止部分（２２）に沿って変位可能であることを特徴とする、請求項１６または２３に記載の安全閉鎖具。
【請求項２５】
保持部分（２３）が、長手方向軸（Ｌ）の方向における回転閉鎖具（３）および作動部（２０）との相互に最大可能な変位経路（Ｖ）を決定し、
第１の係合部（８）および第２の係合部（２１）が、長手方向軸（Ｌ）の方向の閉鎖キャップ（４）と作動部（２０）との相互位置に応じて、噛み合うか、または相互に接触していないことを特徴とする、請求項２４に記載の安全閉鎖具。
【請求項２６】
第１の係合部（８）および第２の係合部（２１）が、相互に位置合わせされた係合面（８ｂ、８ｃ、２１ｄ、２１ｅ）を有し、係合面（８ｂ、８ｃ、２１ｄ、２１ｅ）が、作動部（２０）が一方の円周方向（Ｕ）に回転すると、閉鎖キャップ（４）を開けるのに十分なトルクを閉鎖キャップ（４）に伝達することができ、
作動部（２０）が反対の円周方向（Ｕ）に回転すると、閉鎖キャップ（４）を開けるのに十分でないトルクが伝達されることを特徴とする、請求項１６〜２５のいずれか一項に記載の安全閉鎖具。
【請求項２７】
第１の係合部（８）および第２の係合部（２１）が鋸歯状であり、第１の係合面（８ｂ、２１ｄ）が長手方向軸（Ｌ）の方向に延び、第２の係合面（８ｃ、２１ｅ）が長手方向軸（Ｌ）に対して横断する方向に延びることを特徴とする、請求項２６に記載の安全閉鎖具。
【請求項２８】
長手方向軸（Ｌ）の方向において作動部（２０）が最初に入力部分（２０ｃ）を有し、入力部分（２０ｃ）は全体にわたって環状をなし、かつ、中間空間（２１ｂ）がなく、
作動部（２０）が、長手方向軸（Ｌ）に対して半径方向に壁厚（Ｗ）を有し、作動部（２０）が、停止部（２２）の長手方向軸（Ｌ）の方向における上流または下流の領域における入力部分（２０ｃ）より小さい壁厚（Ｗ）を有することを特徴とする、請求項１６〜２７のいずれか一項に記載の安全閉鎖具。
【発明の詳細な説明】
【技術分野】
【０００１】
本発明は、容器用の安全閉鎖具の製造方法に関する。本発明はまた、安全閉鎖具の射出成形部品に関する。本発明はまた、容器用の安全閉鎖具に関する。
【背景技術】
【０００２】
ボトルまたは容器の回転式閉鎖具に安全装置を設けて、子供が回転式閉鎖具を開けることができない、または容易に開られなくすることが知られている。このような安全閉鎖具は、例えば、医薬物質を含む容器を閉じるのに適している。既知の安全閉鎖具には、その製造が他と比較して高価であるという欠点がある。（特許文献１）は、安全閉鎖具を開示しており、その製造は２つの方法ステップで行われ、第１のステップでは、閉鎖キャップと作動部分とを含む射出成形部品が製造され、閉鎖キャップと作動部分は互いに接続される。第２のステップでは、閉鎖キャップと作動部分が互いに移動して重ねられ、その過程で互いに分離されて、最終的に閉鎖キャップと作動部分から構成される安全閉鎖具となる。この安全閉鎖具には、作動部分が閉鎖キャップ内に押し込まれるときに損傷する可能性があること、および安全閉鎖具を開けるのが難しいという欠点がある。
【先行技術文献】
【特許文献】
【０００３】
【特許文献１】欧州特許出願公開第１８０３６５６号明細書
【発明の概要】
【発明が解決しようとする課題】
【０００４】
本発明の目的は上記した問題を解決することができる安全閉鎖具およびその製造方法を提供することにある。
【課題を解決するための手段】
【０００５】
本発明は、より費用効果が高く、より信頼性の高い安全閉鎖具を作成するという目的に基づいている。この目的は、請求項１の特徴を含む、安全閉鎖具の製造方法によって達成される。従属請求項２〜４は、さらに有利な方法ステップに関連している。目的は、請求項５の特徴を含む、安全閉鎖具の射出成形部品によって達成される。従属請求項６〜１４は、さらに有利に構成された射出成形部品に関連している。目的はさらに、請求項１５の特徴を含む、射出成形部品から安全閉鎖具を製造する方法によって達成される。目的はさらに、請求項１６の特徴を含む安全閉鎖具によって達成される。従属請求項１７〜２８は、さらに有利に構成された安全閉鎖具に関連している。
【０００６】
目的は、特に、安全閉鎖具の製造方法によって達成される。製造方法の第１のステップにおいては、長手方向軸の方向に互いに続けて配置された、閉鎖キャップを有する回転閉鎖具と、複数の分断ポイントと、作動部とを有する一体型射出成形部品を製造し、回転閉鎖具は、分断ポイントを介して作動部に接続され、閉鎖キャップは、外面を有する外側部分を有し、外側部分は長手方向軸に対して円周方向に延在し、かつ、外径を有しており、閉鎖キャップはまた、外側部分に第１の係合部を有しており、作動部は、内面を含む内側部分を有し、内側部分は長手方向軸に対して円周方向に延在し、かつ、内径を有しており、作動部はまた、内側部分に第２の係合部を有しており、外径は内径と等しいか内径よりも小さく、第１および第２の係合部が長手方向軸に対して半径方向に部分的に重なる。製造方法の第２のステップにおいては、長手方向軸の方向に作用する力が射出成形部品に作用することにより、閉鎖キャップと作動部が長手方向軸の方向に相互に変位し、閉鎖キャップが少なくとも部分的に作動部の方へ変位し、その過程で第１の係合部が長手方向軸の方向に押されて第２の係合部の上に完全に位置し、作動部は、押し込み動作中に第１の係合部によって弾性的に楕円形に変形して、押し込み動作が完了した後に元の形状に戻る。
【０００７】
目的は、特に、安全閉鎖具用の射出成形部品によって達成される。射出成形部品は、長手方向軸の方向に互いに続けて配置された、閉鎖キャップを有する回転閉鎖具と、複数の分断ポイントと、作動部とを有し、回転閉鎖具は、分断ポイントを介して作動部に接続され、閉鎖キャップは、外面を有する外側部分を有し、外側部分は長手方向軸に対して円周方向に延在し、かつ、外径を有しており、閉鎖キャップはまた、外側部分に第１の係合部を有しており、作動部は、内面を有する内側部分を有し、内側部分は長手方向軸に対して円周方向に延在し、かつ、内径を有しており、作動部はまた、内側部分に第２の係合部を有しており、外径は内径と等しいか内径よりも小さく、第１および第２の係合部は長手方向軸に対して半径方向に部分的に重なる。第１の係合部は、円周方向に互いに離間して配置されるとともに、間に中間空間を有する複数の係合部部分からなり、複数の係合部部分の間の中間空間は、これら係合部部分に対して減少した外径を有している。
【０００８】
目的は、特に、長手方向軸を有する閉鎖キャップを備える回転閉鎖具と、作動部とを有する安全閉鎖具によって達成される。閉鎖キャップは、外面を有する外側部分を有し、外側部分は長手方向軸に対して円周方向に延在し、かつ、外径を有しており、閉鎖キャップはまた、外側部分に第１の係合部を有しており、第１の係合部は長手方向軸に対して半径方向において外面上に突出しており、作動部は、内面を有する内側部分を有し、内側部分は長手方向軸に対して円周方向に延在し、かつ、内径を有しており、作動部はまた、内側部分に第２の係合部を有しており、外径は内径と等しいか内径よりも小さく、閉鎖キャップと作動部とは長手方向軸に対して同心状に配置され、閉鎖キャップは端側部を有し、作動部は外面に沿って閉鎖キャップを取り囲んで端側部を固定せず、第１の係合部および第２の係合部は長手方向軸に対して半径方向に部分的に重なる。第１の係合部および第２の係合部は、互いに係合できるように、長手方向軸の方向において反対側に配置されて、長手方向軸の方向において相互に変位可能であり、第１の係合部は円周方向に互いに離間して配置されるとともに、間に中間空間を有する複数の係合部部分を含み、複数の係合部部分の間の中間空間は、これら係合部部分に対して減少した外径を有している。
【０００９】
本発明による安全閉鎖具は、製造方法の第１のステップにおいて、一体型の射出成形部品を製造し、第２のステップにおいて、長手方向に作用する力が射出成形部品に作用し、続いて射出成形部品を一緒に押すことにより、回転閉鎖具と作動部とを含む安全閉鎖具を極めて費用効果が高く、かつ、高い信頼性をもって製造することができるという利点を有している。前述の方法で製造された既知の安全閉鎖具の場合、とりわけ、回転閉鎖具と作動部が、相互に適合した方法で配置されたが確実に噛み合わない係合部を有するという問題が生じ、特に長期的には確実ではないため、たとえば安全閉鎖具を開くことができなかった。長期にわたって確実な係合を可能にするために、相互に配置された係合部の端側部は、長手方向軸に対して半径方向において特定の幅で重なる必要があり、その幅で端側部が互いに直接向かい合うことができ、したがって噛み合うことができる。既知の安全閉鎖具の場合、作動部は、押し合い動作中に円形対称にかつ極めて強力な方法で拡張されるため、この操作中に作動部が損傷したり、もろくなったりするリスクがある。それにもかかわらず、係合部の両端側部の結果として生じる係合幅は制限される。本発明による方法の場合、作動部は、押し合い動作中に弾性的にも楕円形にも変形し、押し込み動作が完了した後で、作動部は元の、好ましくは円形に戻る。この方法には、押し合い動作中に作動部に生じる張力が低く、相互に配置された係合部の端側部がより広い係合幅を有することができるため、より確実に噛み合うことができ、また長期的に確実に噛み合うことができるという利点がある。
【００１０】
作動部は、内面に沿って円周方向に内周長を有する。作動部は、作動部の内周長が、第１の係合部によって生じる楕円形の変形の間でさえ維持されるか、または実質的に維持されるように、回転閉鎖部上で特に有利に押され、したがって、作動部は、たとえあったとしても、ごくわずかに円周方向に伸びるので、損傷はない。楕円形変形とは、押し合い動作時に、作動部が、第１の係合部の作用により一時的に円形とは異なる形状をとることを意味し、一時的に非円形、例えば、卵形、細長い形、丸形、または楕円形の形状となる。第１の係合部は、作動部が第１の係合部上に押されているときにとる形状を有利に実質的に決定するので、変形中の作動部は、好ましくは、係合部の外側輪郭に実質的に従う。係合部はまた、例えば、少なくとも部分的に多角形の外側輪郭を有することができ、したがって、作動部が一時的に占める非円形の形状は、例えば、角が丸い多角形であってもよい。作動部の楕円形の変形はまた、作動部が押し合い運動中に過度に負荷をかけられたり損傷したりすることなく、作動部を比較的厚い壁厚で構成できるという利点を有する。
【００１１】
射出成形部品は、好ましくは単一部品として構成される。ただし、回転閉鎖具と作動部を別々に製造し、次に作動部を回転閉鎖具に押し付けることによって安全閉鎖具を製造することも可能である。
【００１２】
本発明による安全閉鎖具は、単純かつ安全に操作することができる。また、本発明による安全閉鎖具は、多様な可能性において構成することができる。例えば、閉鎖キャップの端側部は、本発明による安全閉鎖具が広告目的に有利に適するように、刻印、スタンプまたは三次元的に突出する本体を備えるなど、多様な可能性を持って構成することができる。本発明による安全閉鎖具は、特に、デザインとともに提供することもできる。さらに、作動部の外面は、任意の方法で構成することができ、例えば、丸い形状に加えて、三角形、正方形、または多角形の形状、または球根状の形状に構成することもできる。したがって、本発明による安全閉鎖具は、多様な形状で製造することができる。
【００１３】
さらに、他の可能な実施形態では、閉鎖キャップは、例えば、物質を容器に遡及的に導入するための通路を有することができ、これは、特に医薬品の場合に、追加の物質が使用直前に容器に依然供給可能である場合に有利であろう。
【００１４】
特に有利な改良において、本発明による安全閉鎖具は、安全閉鎖具がまだ開けられていないことを保証するために、不正開封防止シールを含む。
本発明は、例示的な実施形態を参照して以下に説明される。例示的な実施形態を説明するために以下の図面が使用される。
【図面の簡単な説明】
【００１５】
【図１】安全閉鎖具の射出成形部品の斜視図を示す。
【図２】図１による射出成形部品の側面図を示す。
【図３】図１による射出成形部品の端面図を示す。
【図４】図３による射出成形部品の右側の縁部の詳細を示す。
【図５】図３による射出成形部品の上側の縁部の詳細を示す。
【図６】図１による射出成形部品の縦断面を示す。
【図７】図６による射出成形部品の底面図を示す。
【図８】回転閉鎖具を通る縦断面を示す。
【図９】作動部を通る縦断面を示す。
【図１０】回転閉鎖具を通る縦断面を示す。
【図１１】第２の位置における図１０による安全閉鎖具を通る縦断面を示す。
【図１２】断面線Ａ−Ａに沿った図１０による安全閉鎖具を通る縦断面を示す。
【図１３】ボトルに配置された安全閉鎖具の側面図を示す。
【図１４】図１３による安全閉鎖具の斜視図を示す。
【図１５】安全閉鎖具のさらなる例示的な実施形態の縦断面を示す。
【図１６】回転閉鎖具のさらなる例示的な実施形態の縦断面を示す。
【図１７】図１６による回転閉鎖具に合わせた作動部の縦断面を示す。
【図１８】作動部のさらなる例示的な実施形態の縦断面を示す。
【図１９】図１２による断面を示しており、実質的に第１の係合部のみが示されている。
【発明を実施するための形態】
【００１６】
同一部品は、基本的に図面において同じ参照符号が付けられている。
図１、２、３、６および７は、１つの同じ射出成形部品２を異なる図で示し、図４および５は、その射出成形部品２の詳細図を示している。一体構成された射出成形部品２は、安全閉鎖具１を製造することができる半製品である。特に図６から明らかなように、射出成形部品２は、長手方向軸Ｌの方向に相前後して配置された、閉鎖キャップ４を有する回転閉鎖具３と、複数の分断ポイント１１と、作動部２０とを備える。ここで、回転閉鎖具３は、分断ポイント１１を介して作動部２０に接続されている。閉鎖キャップ４は、好ましくは容器またはボトルを閉鎖するために、例えば、外ねじを有する出口などの開口部を閉鎖するように構成される。図示された例示的な実施形態では、閉鎖キャップ４は内ねじ７を有する。しかしながら、閉鎖キャップ４はまた、例えば、バヨネット型閉鎖具のための手段を有する閉鎖キャップ４の内側によって、他の種類の回転閉鎖具用に構成することができる。
【００１７】
閉鎖キャップ４は、円形の端部４ａと、側部４ｃであって、実質的に中空円筒の形状をしており、その内側には内向きに突出したねじ７が一体的に形成されている側部４ｃとを備えている。
【００１８】
閉鎖キャップ４は、長手方向軸Ｌに対して円周方向Ｕに延び、外径ＤＡを有する外面４ｄを含む外側部分４ｅを有する。閉鎖キャップ４はまた、外側部分４ｅに第１の係合部８を有する。閉鎖キャップ２０は、長手方向軸Ｌに対して円周方向Ｕに延び、内径ＤＩを有する内面２０ａを含む内側部分２０ｂを有する。作動部２０はまた、内側部分２０ｂに第２の係合部２１を有する。外径ＤＡは内径ＤＩと等しいか内径ＤＩよりも小さい。第１および第２の係合部８、２１は、長手方向軸Ｌに対して半径方向に部分的に重なり合う。すなわち、第１の係合部８および第２の係合部２１は、長手方向軸Ｌの方向から見て、部分的に重なり合う。したがって、例えば、図１０に示すように、第１の係合部８を第２の係合部２１の下流に配置するために、内側部分２０ｂは、長手方向軸Ｌに対して少なくとも部分的に半径方向に拡張されなければならないことは、例えば、図６から明らかである。
【００１９】
図１〜１４に示される例示的な実施形態において、閉鎖キャップ２０は、環状をなすように構成されるとともに、長手方向軸Ｌに対して円周方向Ｕに延び、かつ、内径ＤＩを有する、円形または略円筒形の内面２０ａを有する。図示された例示的な実施形態では、第１の係合部８は、外面４ｄ上で半径方向に突出するように構成されるとともに、上向きに突出する歯８ａを有する。第２の係合部２１は、内面２０ａに対して半径方向に後退するとともに、歯を備える下向きの端側部分２１ａを有する。内側部分２０ｂはまた、有利には、第２の係合部２１に対して長手方向軸Ｌの方向に間隔を置いて配置されるとともに、長手方向軸Ｌに向かって突出する停止部分２２を含むことで、内面２３ａを有する保持部分２３が、第２の係合部２１と停止部２２との間に形成される。
【００２０】
特に図１および図２から明らかなように、第１の係合部８は、円周方向Ｕに相互に離間して配置された複数の係合部８ｅ、８ｆからなり、係合部部８ｅ、８ｆ間の中間空間９は外径ＤＡを有する。中間空間９は、係合部８ｅ、８ｆ間の円周方向Ｕにおいて、係合部８ｅ、８ｆに対して減少した外径を有するように、外面４ｄ上にわずかに突出するように構成することができる。言い換えれば、この構成では、係合部８は、円周方向Ｕに連続的かつ完全に延び、係合部８ｅ、８ｆが半径方向に顕著に突出し、半径方向に後退し、かつ、中間空間９を形成する部分を有するように構成されてもよい。
【００２１】
有利には、図１に示されるように、第１の係合部８のみが、長手方向軸Ｌに対して半径方向に突出するように外面４ｄ上に配置される。円周方向Ｕに相互に離間して配置される係合部８ｅ、８ｆは、作動部２０が閉鎖キャップ４に押しつけられるにつれて、一時的に楕円形に変形するという効果を有する。係合部８ｅ、８ｆの円周方向Ｕの長さおよび相互距離は、楕円形に変形する際の形状を実質的に決定する。第１および第２の係合部８ｅ、８ｆは、円周方向Ｕにおいて長さが異なることは有利である。
【００２２】
第１の係合部８ｅおよび／または第２の係合部８ｆは、有利には、図１に示されるように、円周方向Ｕの両側に、外面４ｄに突き出た端部８ｄを有する。
外面４ｄは、有利には、長手方向軸Ｌの方向に全長ＬＡを有する。外面４ｄが、中間空間９の領域において全長ＬＡに沿って同じ外径ＤＡを有することで、作動部２０が支障なく外面４ｄに沿ってこの位置で移動することができる。
【００２３】
第１の係合部８には、２つの異なる役目がある。第１の係合部８は、最初に、作動部２０について既に説明した一時的な楕円形の変形をもたらす。この目的のために、特に作動部２０に作用する側面８ｇが重要である。さらに、第１の係合部８は、上側部分８ｈに配置されたその歯８ａによって、第２の係合部２１に係合を生じさせる。側面８ａは、図２に示されるように、長手方向Ｌに対して垂直に延びる。しかしながら、側面８ａはまた、例えば、作動部２０が第１の係合部上をより静かに摺動できるように、作動部２０と回転閉鎖具３の押し合い動作中に、斜めに、円形に、または半円形に延びるように構成することも可能である。
【００２４】
特に図６から明らかなように、第２の係合部２１は、複数の部分体２１ｃからなり、複数の部分体２１ｃは、長手方向に延びるとともに、中間空間２１ｂによって外円周方向Ｕに相互に離間しており、係合部８またはその歯８ａと係合可能な係合面２１ｄ、２１ｅを有する端側部分２１ａを形成する。２１ａ、２１ｂ、２１ｃ、２１ｄおよび２１ｅによって示される部分は、係合部２１の部分的な構成要素を形成する。
【００２５】
図示される例示的な実施形態では、回転式閉鎖具３は、閉鎖キャップ４と、複数の脆弱ポイント１０を介して閉鎖キャップ４に接続されている不正開封防止シール部５とを含む。不正開封防止シール部５の内側はまた、少なくとも１つの内向きに突出する保持カム１２を有し、これは、例えば、単一の部品、または円周方向Ｕで相互に離間された複数の部品から構成することができる。さらなる例示的な実施形態では、回転閉鎖具３は、不正開封防止シール部５を有していなくてもよく、したがって、閉鎖キャップ４は、分断ポイント１１を介して作動部２０に直接接続される。
【００２６】
閉鎖キャップ４の外面４ｄの外径ＤＡは、作動部２０の内径ＤＩ以下であるため、閉鎖キャップ４は、長手方向軸Ｌの方向へ変位することによって作動部２０内に変位可能である。回転閉鎖具が不正開封防止シール部品５を含む場合、当然、この条件は、不正開封防止シール部品５の外径ＤＡについても満たしていなければならない。閉鎖キャップ４の第１の係合部８および作動部２０の第２の係合部２１は、安全閉鎖具１が組み立てられると、２つの係合部８、２１が噛み合い、その過程で、閉鎖キャップ４および作動部２０の長手方向軸Ｌの一方向への可能な最大の動きの範囲を定めるような方法で、相互に適合されるように構成されるか、または、長手方向軸Ｌに対して半径方向に延びる。
【００２７】
本発明による安全閉鎖具１は、第１の方法ステップにおいて、一体射出成形部品が、好ましくはプラスチックから射出成形によって製造される。また、図６に示されるように、第２の方法ステップにおいて、長手方向軸Ｌの方向に作用する力Ｆが射出成形部品２に加えられると、閉鎖キャップ４と、場合によっては不正開封防止シール５とを有する回転閉鎖具３、および作動部品２０は、長手方向軸Ｌの方向に互いに変位し、回転閉鎖具３は、図１０および１１に示されるように、少なくとも部分的に作動部２０の内部に変位し、作動部２０は、第１の係合部８が長手方向軸Ｌの方向に押されて完全に第２の係合部２１上に位置するまで、第１の係合部８によって楕円形に変形する。その結果、第１の係合部８と第２の係合部２１またはその係合面８ｂ、８ｃ、２１ｄ、２１ｅは、長手方向軸Ｌの方向に互いに向かい合って配置され、作動部２０は、元の、好ましくは円形の形状に回復することができる。
【００２８】
図６、１０および１１から明らかなように、第２の係合部２１および停止部分２２は、内面２３ａを有する保持部分２３を形成し、第１の係合部８は、保持部分２３に係合し、長手方向軸Ｌの方向において保持部分２３に沿って変位可能である。保持部分２３の長さは、長手方向軸Ｌの方向における回転閉鎖具３および作動部２０の相互に最大可能な変位経路Ｖを決定する。ここで、第１の係合部８および第２の係合部２１は、長手方向軸Ｌの方向の閉鎖キャップ４と作動部２０との相互位置に応じて、部分的または完全に噛み合うか、または相互に間隔を置いて接触していない。
【００２９】
安全閉鎖１具が完成すると、第１の係合部８および第２の係合部２１は、相互に位置合わせされた係合面８ｂ、８ｃ、２１ｄ、２１ｅを有する。係合面８ｂ、８ｃ、２１ｄ、２１ｅは、例えば、波状または歯形であるように構成され、閉鎖キャップ４を開けるために、長手方向Ｌに作用する力が、開放目的のため、および、閉鎖キャップ４が開くように閉鎖キャップ４に対して円周方向Ｕに作用する、十分な大きさのトルクを伝達するために、作動部２０に加えられなければならない。
【００３０】
図１、２、６および９に示されるように、第１の係合部８および第２の係合部２１は、特に有利には鋸歯状であり、第１の係合面８ｂ、２１ｄが長手方向軸Ｌの方向に延び、第２の係合面が８ｃ、２１ｅが長手方向軸Ｌに対して横方向に延びる。鋸歯状の形状は、長手方向Ｌに作用する力が作動部２０に加えられる必要がないので、閉鎖キャップ４の閉鎖を特に容易にする。
【００３１】
第１の係合部８および第２の係合部２１の相互構成に応じて、作動部２０を一方向に回転させると、閉鎖キャップ３を回転させることができる。図１〜１４に示される例示的な実施形態では、作動部２０を反時計回りに回転させると、作動部２０に長手方向Ｌの力が加えられない場合、作動部２０が閉鎖キャップ４に対して上昇する。回転中に作動部２０に長手方向Ｌの力が加えられると、トルクが閉鎖キャップ４に伝達され、閉鎖キャップ４を開くことができる。作動部２０が時計回りに回転している間、閉鎖キャップ４が閉鎖方向に回転するか、すでに閉鎖している閉鎖キャップ４がさらに締め付けられる。
【００３２】
図１０および１１から明らかなように、閉鎖キャップ４の第１の係合部８および作動部２０の第２の係合部２１は、安全閉鎖具１において相互に係合するように相互に適合された方法で構成されるか、または、移動方向Ｂの相互変位により相互に係合させることができる。この相互の係合は、回転閉鎖具３と作動部２０が互いに接続され、長手方向軸Ｌの方向または移動方向Ｂにおける変位経路Ｖによって、最大限に相互に変位可能であるという効果を有する。図１１は、長手方向の断面において、作動部２０が閉鎖キャップ４に対して移動方向Ｂに最大限に持ち上げられている状態の第１の極限位置にある安全閉鎖具１を示している。この位置では、第１の係合部８と第２の係合部２１は噛み合わないため、作動部２０は、閉鎖キャップ４にトルクを発生させることなく両方向において、円周方向Ｕに回転可能である。図１０は、さらなる長手方向の断面において、作動部２０が閉鎖キャップ４に対して移動方向Ｂに最大限に下降した状態の第２の極限位置にある安全閉鎖具１を示しており、この位置において、第１の係合部８と第２の係合部２１は完全に係合している。第１および第２の係合部８、２１は、現在の回転位置に応じて、それらの相互に位置合わせされた係合面８ｂ、８ｃ、２１ｄ、２１ｅで相互に接触しており、その係合面は、長手方向に対して半径方向に係合幅を形成する。相互に位置合わせされた係合面８ｂ、８ｃ、２１ｄ、２１ｅは、長手方向Ｌ方向の変位によって噛み合うことができる。信頼できる係合を可能にするために、そしてこの係合により、十分に大きなトルクが作動部から回転閉鎖部に伝達されるように、十分に大きな係合幅が有利に必要とされ、この係合幅は、例えば、０．５〜２ｍｍの範囲内であることが有利である。長手方向軸Ｌに関して同心円状に配置される回転閉鎖具３と、作動部２０とを備えた安全閉鎖具１は、有利には、円周方向Ｕ全体にわたって同一の係合幅を有する。
【００３３】
図３は射出成形部品２の端面図を示し、図７は射出成形部品２の底面図を示しており、特に、閉鎖キャップ４と、２つの第１の係合部部分８ｅおよび２つの第２の係合部部分８ｆを含む第１の係合部８とが示されている。図４は、図３の第２の係合部部分８ｆを詳細に示し、図５は、図３の第１の係合部部分８ｅを詳細に示している。第１の係合部８ｅおよび第２の係合部８ｆの両方は、中心の長手方向軸Ｌに対して半径方向に最大高さを有し、図１および２から明らかなように、円周方向Ｕに中間空間９が形成されるように外面４ｄに突き出た、円周方向Ｕの両側に端部８ｄを有する。特に図４および図５から明らかなように、第１の係合部８は、長手方向軸Ｌに対して半径方向に作動部２０と部分的に重なっており、その結果、図７から明らかなように、第１の係合部８が作動部２０の背後に配置され、したがって、第１の係合部８が作動部２０に導入されると、作動部２０の内径を広げる必要がある。
【００３４】
安全閉鎖具を製造するための第２の方法ステップにおいて、閉鎖キャップ４と作動部２０が長手方向軸Ｌの方向に互いに変位するように、長手方向軸Ｌの方向に作用する力Ｆが射出成形部品２に加えられなければならない。その過程で、第１の係合部８が長手方向軸Ｌの方向に押されて完全に第２の係合部２１上に位置する。完成した安全閉鎖具１が図１０に示されており、図１２は断面線Ａ−Ａに沿った断面を示している。これで、第１の係合部８は保持部分２３と係合する。半径方向に突出する第１の係合部部分８ｅ、第２の係合部部分８ｆおよび中間空間９を伴う、円周方向Ｕにおける第１の係合部８のコースは、第１の係合部８が作動部２０の内側２０ｂに導入されると、第１の係合部８に対して係合する内側２０ｂによる作動部２０の楕円形の弾性変形の発生を決定する。楕円の弾性変形中に、中間空間９には作動部２０が楕円形に変形することができるという効果があり、その結果、作動部２０で最大に発生する応力を予測することができるため、中間空間９が特に重要である。作動部２０および閉鎖キャップ４の寸法、ならびにそれらの材料は、好ましくは、閉鎖キャップ４が作動部２０に導入されたときに、弾性変形のみが発生するように選択される。それによって、導入後に、図１０〜１２に示されるように、作動部２０および場合によっては閉鎖キャップ４もまた元の形状に戻る。第１の係合部８は、この条件を満たすために、多数の組み合わせで構成することができる。特に、中間空間９の数は、例えば、１〜１０の範囲内で変えることができ、または、第１の係合部部分８ｅおよび／または第２の係合部部分８ｆの円周方向Ｕの長さを変えることができ、および／または、閉鎖キャップ４および／または作動部２０の弾性は、対応する材料の選択によって変えることができ、および／または、長手方向軸Ｌに対して半径方向の第１および第２の係合部８、２１の相互の重なりの距離を変えることができる。
【００３５】
図１３および１４は完成した安全閉鎖具１を示しており、安全閉鎖具１は、図１３において、容器３０の開口部を閉じている。閉鎖キャップ４および作動部２０は、長手方向軸Ｌに対して同心円状に配置されており、閉鎖キャップ４は端側部４ｂを有し、作動部２０は、外面４ｄに沿って閉鎖キャップ４を取り囲み、端側部４ｂを固定しない。端側部４ｂは、作動部２０によって覆われておらず、固定されていないため、多様な可能性をもって構成することができる。例えば、端側部４ｂに刻印することができ、または図６および８に示されるように、グラフィックデザインに使用することができるくぼみを設けることができる。さらに、端側部４ｂには、三次元的に突出した本体、好ましくは、例えばフィギュアなどの広告媒体を設けることができる。しかしながら、端側部４ｂにはまた、例えばストローなどの飲用補助付きの、液体のための出口が設けられてもよく、出口を介して容器から液体を取り出すことができる。これは、例えば、容器の開口部が保護フィルムによって元の状態で閉じているときはいつでも有利である。したがって、容器を開けるには、まず安全閉鎖具１を開け、次に保護フィルムを容器の開口部から剥がし、その後で、容器内の液体を安全閉鎖具１の出口から取り出せるように、安全閉鎖具を回して容器の開口部に戻す必要がある。
【００３６】
図示された例示的な実施形態は、作動部２０の外側が円形であることを示している。しかしながら、作動部２０は、内面２０ａの形状のみが安全閉鎖具１の機能のために事前に決定されているので、外側で任意の所望の形状をとることができる。作動部２０はまた、例えば、外側が三角形、正方形、多角形または楕円形の形態で構成されてもよい。
【００３７】
図１５は、安全閉鎖具１を製造するための射出成形部品２のさらなる例示的な実施形態を縦断面において示す。この射出成形部品２は、停止部２２が閉鎖キャップ４上に配置され、そこで保持部分２３の範囲を定めること、および閉鎖キャップが内側リップ４ｆを有することを除いて、図１〜７に示される射出成形部品２と実質的に同一に構成される。
【００３８】
図１６は、一部のみが示された縦断面において、脆弱ポイント１０を介して接続された閉鎖キャップ４および不正開封防止シール５を含む回転閉鎖具３のさらなる例示的な実施形態を示している。閉鎖キャップ４はまた、停止部２２と第１の係合部８とを有する外側部分４ｅを備える。停止部２２と第１の係合部８は、保持部２３の長さ分だけ長手方向軸Ｌ方向に離間している。第１の係合部８は、上方に向けられ、円周方向Ｕにおいて相互に離間している複数の歯８ａを有する。閉鎖キャップ４はまた、外径ＤＡを有する外面４ｄを備える。図１７は、図１６による回転閉鎖具に合わせて構成された作動部２０の縦断面を示す。作動部２０は、内面２０ａ、内側部分２０ｂ、および下方に向けられ、円周方向Ｕにおいて相互に離間している複数の歯２１ａを有する、内方に突出する第２の係合部２１を備える。安全閉鎖具の製造中に、示される図面において、第１の係合部８が長手方向軸Ｌの方向に押されて完全に第２の係合部２１の上方に位置し、それによって第２の係合部２１が保持部２３内に配置されるように、回転閉鎖具３が作動部２０に導入される。そして、第２の係合部２１の長手方向軸Ｌの方向における移動の範囲が、停止部２２および閉鎖キャップ４の第１の係合部８によって定められる。
【００３９】
図９および１８に示されるように、作動部２０は、周方向Ｕにおいて内面２０ａに沿って全体の内周長Ｕ１を有し、図１９に示されるように、第１の係合部８は、中間空間９とともに、周方向Ｕにおいて全体的な外周長さＵ２を有する。内周長Ｕ１は、閉鎖キャップ４と作動部２０が一緒にされたときに、内側部分２０ｂが、周方向Ｕに伸びることがないように、外周長Ｕ２以上である。図１９は、第１の係合部８および中間空間９に沿って延びて、全体の外周長さＵ２を定める外面ＵＡを示している。
【００４０】
図１８は、長手方向軸Ｌの延びる方向における、作動部２０のさらなる例示的な実施形態の長手方向断面を示す。作動部２０は、周方向に全体にわたって環状をなし、かつ、中間空間２１ｂがない入力部分２０ｃを有する。作動部２０は、長手方向軸Ｌに対して半径方向に壁厚Ｗを有し、停止部２２の長手方向軸Ｌ方向における上流または下流の領域における入力部分２０ｃよりも小さい壁厚Ｗ、好ましくはより小さい最大壁厚Ｗを有する。作動部２０は、作動部２０がより寸法的に安定するような厚い壁厚を入力部分２０ｃが有するので、特に寸法的に安定して構成される。
【図１】
2021527597.tif 000003
【図２】
2021527597.tif 000004
【図３】
2021527597.tif 000005
【図４】
2021527597.tif 000006
【図５】
2021527597.tif 000007
【図６】
2021527597.tif 000008
【図７】
2021527597.tif 000009
【図８】
2021527597.tif 000010
【図９】
2021527597.tif 000011
【図１０】
2021527597.tif 000012
【図１１】
2021527597.tif 000013
【図１２】
2021527597.tif 000014
【図１３】
2021527597.tif 000015
【図１４】
2021527597.tif 000016
【図１５】
2021527597.tif 000017
【図１６】
2021527597.tif 000018
【図１７】
2021527597.tif 000019
【図１８】
2021527597.tif 000020
【図１９】
2021527597.tif 000021
【国際調査報告】
2021527597.tif 000022
2021527597.tif 000023
2021527597.tif 000024
2021527597.tif 000025